(57)【要約】【課題】既存のカーペットと併用しても美観を損ねず、より少ない工数により施工できる床被覆材を提供する。【解決手段】床被覆材は、可撓性材料により形成される基底部と、基底部の表面に設けられる化粧部と、基底部の第１の側面部に設けられる凸型コネクタと、基底部の第１の側面とは異なる第２の側面に設けられる凹型コネクタと、基底部の化粧部に面する面と対向する面に設けられる溝部と、溝部に配置される配線用ガイドプロテクタと、配線用ガイドプロテクタに設置され、凸型コネクタと凹型コネクタとを接続する配線と、基底部の端部に設けられる切り欠き部に着脱可能に設けられるアジャスターシートと、を備える。また、分岐用の床被覆材は第１の側面と前記第２の側面とは隣接している。【選択図】図８
2015059385.tif 000002
【特許請求の範囲】
【請求項１】
可撓性材料により形成される基底部と、
前記基底部の表面に設けられる化粧部と、
前記基底部の第１の側面に設けられる凸型コネクタと、
前記基底部の前記第１の側面とは異なる第２の側面に設けられる凹型コネクタと、
前記基底部の前記化粧部に面する面と対向する面に設けられる溝部と、
前記溝部に配置される配線用ガイドプロテクタと、
前記配線用ガイドプロテクタに設置され、前記凸型コネクタと前記凹型コネクタとを接続する配線と、
前記基底部の端部に設けられる切り欠き部に着脱可能に設けられるアジャスターシートと、
を備える床被覆材。
【請求項２】
前記第１の側面と前記第２の側面とは隣接している請求項１記載の床被覆材。
【請求項３】
前記配線は、
ＬＡＮケーブルである請求項１又は請求項２に記載の床被覆材。
【請求項４】
可撓性材料により形成される基底部と、
前記基底部の表面に設けられる化粧部と、
前記基底部の第１の側面に設けられる凸型コネクタ又は凹型コネクタと、
前記基底部の前記第１の側面とは異なる第２の側面に設けられ、配線ケーブルと接続するコネクタ部と、
前記基底部の前記化粧部に面する面と対向する面に設けられる溝部と、
前記溝部に配置される配線用ガイドプロテクタと、
前記配線用ガイドプロテクタに設置され、前記凸型コネクタと前記凹型コネクタとを接続する配線と、
前記基底部の端部に設けられる切り欠き部に着脱可能に設けられるアジャスターシートと、
を備える床被覆材。
【請求項５】
前記第１の側面と前記第２の側面とは隣接している請求項４記載の床被覆材。
【請求項６】
前記配線は、
ＬＡＮである請求項４又は請求項５に記載の床被覆材。
【発明の詳細な説明】
【技術分野】
【０００１】
本発明の実施形態は、床被覆材に関する。
【背景技術】
【０００２】
オフィスの内部には多くの電子機器があり、これらの配線は通常ＯＡフロアの下部において行われる。すなわち、ＯＡフロアは人や物が乗る天板部と、天板部を指示する支柱と、を備えており、電子機器の配線は天板部の下部に這わせて行われる。
【０００３】
しかし、このＯＡフロアは設置コストが高いという難点がある。
【０００４】
設置コストを安くするには、床にケーブル類を収容するモールを敷設して配線する方法がある。
【０００５】
しかし、この方法は美観がよくなく、歩行する際につまずきやすいという難点がある。
【０００６】
この点に関し、内部にケーブル類を収容する切り欠き部を有するカーペットが提案されている。
【０００７】
しかし、このカーペットはケーブル類をうまく収容するには技能が必要であり、工数がかかる。また、既存のカーペットとの段差が生じやすい。
【先行技術文献】
【特許文献】
【０００８】
【特許文献１】特開昭６３−２２３２５６号公報
【発明の概要】
【発明が解決しようとする課題】
【０００９】
従って、既存のカーペットと併用しても美観を損ねず、より少ない工数により施工できる床被覆材が求められている。
【課題を解決するための手段】
【００１０】
上記の課題を解決するために、本発明の一実施形態は、可撓性材料により形成される基底部と、基底部の表面に設けられる化粧部と、基底部の第１の側面部に設けられる凸型コネクタと、基底部の第１の側面とは異なる第２の側面に設けられる凹型コネクタと、基底部の底面に平行に配置される化粧部に面する面と対向する面に設けられる溝部と、溝部に配置される配線用ガイドプロテクタと、配線用ガイドプロテクタに設置され、凸型コネクタと凹型コネクタとを接続する配線と、基底部の端部に設けられる切り欠き部に着脱可能に設けられるアジャスターシートと、を備える床被覆材を提供する。
【図面の簡単な説明】
【００１１】
【図１】床被覆材の正面斜視図である。
【図２】床被覆材の背面斜視図である。
【図３】床被覆材の配線の様子を示す平面図である。
【図４】床被覆材の図１におけるＡＡ線断面図である。
【図５】凸型コネクタと凹型コネクタとを連結させる様子を示す図である。
【図６】配線を曲げるための分岐用床被覆材の配線を示す平面図である。
【図７】応用例に係る床被覆材の側面図である。
【図８】アジャスターシートを取り外した様子を示す側面図である。
【図９】アジャスターシートを付け加えた様子を示す側面図である。
【図１０】コネクタ型床被覆材の外観斜視図である。
【図１１】床被覆材の使用例を示す図である。
【発明を実施するための形態】
【００１２】
以下、床被覆材の一実施形態について、図面を用いて詳細に説明する。
【００１３】
本実施形態の床被覆材は、可撓性材料により形成される基底部と、基底部の表面に設けられる化粧部と、基底部の第１の側面部に設けられる凸型コネクタと、基底部の第１の側面とは異なる第２の側面に設けられる凹型コネクタと、基底部の底面に平行に配置される化粧部に面する面と対向する面に設けられる溝部と、溝部に配置される配線用ガイドプロテクタと、配線用ガイドプロテクタに設置され、凸型コネクタと凹型コネクタとを接続する配線と、基底部の端部に設けられる切り欠き部に着脱可能に設けられるアジャスターシートと、を備える。
【００１４】
図１は、床被覆材１の正面斜視図である。図２は、床被覆材１の背面斜視図である。図３（Ａ）は、床被覆材１の配線の様子を示す平面図である。図３（Ｂ）は、配線１５付近の床被覆材１の断面図である。図４は、床被覆材１の図１におけるＡＡ線断面図である。
【００１５】
図１乃至図４に示すように、床被覆材１は、可撓性材料により形成される基底部１２と、基底部１２の表面に設けられる化粧部１１と、基底部１２の第１の側面部に設けられる凸型コネクタ１３と、基底部１２の第１の側面とは異なる第２の側面に設けられる凹型コネクタ１４と、基底部１２の底面に平行に配置される化粧部１１に面する面と対向する面に設けられる溝部１７と、溝部１７に配置される配線用ガイドプロテクタ１６と、配線用ガイドプロテクタ１６に設置され、凸型コネクタ１３と凹型コネクタ１４とを接続する配線１５と、を備える。
【００１６】
図３（Ｂ）に示すように、配線用ガイドプロテクタ１６は溝部に接着剤によって固定される。配線用ガイドプロテクタ１６は配線１５を複数並列嵌め込むことができる配線溝を備え、可塑性を有する樹脂系成型材によって形成される。
【００１７】
基底部１２を形成する可撓性材料は例えばウレタンを用いることができる。
【００１８】
化粧部１１は、例えばナイロン製絨毯を用いることができる。
【００１９】
凸型コネクタ１３及び凹型コネクタ１４は導電性の金属によって形成される。凸型コネクタ１３と凹型コネクタ１４とはそれぞれ基底部１２の対応する位置に設置される。
【００２０】
配線１５は、例えばＬＡＮケール、電話線、電源線などが挙げられるがこれに限られるものではない。配線１５は、溝部１７部内に接着材にて設置された可塑性を有する樹脂系成型材からなる配線用ガイドプロテクタ１６の配線溝にはめ込まれ、保護される。
【００２１】
溝部１７は基底部１２を貫通しない深さに設けられる。
【００２２】
図５は、１枚目の床被覆材１の凸型コネクタ１３と２枚目の床被覆材１の凹型コネクタ１４とを連結させる様子を示す図である。連結は、凸型コネクタ１３の金属部分を凹型コネクタ１４の金属部分に嵌め込むことによって行う。
【００２３】
床被覆材１の使用方法は次のように行う。まず１枚目の床被覆材１を床に敷設する、次に２枚目の床被覆材１を、１枚目の床被覆材１の凸型コネクタ１３と２枚目の凹型コネクタ１４とを連結させて敷設する。以降同様に凸型コネクタ１３と凹型コネクタ１４とを連結させながら敷設する。
【００２４】
従って、床被覆材１によればカーペットの敷設と配線とが一つの工程によって行うことが可能となる。
【００２５】
図６は、配線を曲げるための分岐用床被覆材２の配線を示す平面図である。図６に示すように、分岐用床被覆材２は、可撓性材料により形成される基底部１２と、基底部１２の表面に設けられる化粧部１１と、基底部１２の第１の側面部に設けられる凸型コネクタ１３と、基底部１２の第１の側面と隣接する第２の側面に設けられる凹型コネクタ１４と、基底部１２に設けられ、凸型コネクタ１３と凹型コネクタ１４とを接続する配線１５と、を備える。
【００２６】
分岐用床被覆材２は、予め基底部１２に直線方向及び直角方向に延びる溝部１７を設けておき、必要に応じて配線１５を直線方向に設けたり、直角方向に曲げて設けたりすることもできる。
【００２７】
分岐用床被覆材２は、さらにさまざまな形状のものを設けることができる。例えば、４本の配線１５が順に分岐するように長方形のものを形成することもできる。また、床被覆材１及び分岐用床被覆材２は、床の形状に応じて切断して用いることも可能である。
【００２８】
分岐用床被覆材２に用いられる分岐用の配線１５は、カーブの外側に行くほど長さが長い。すなわち、分岐用の配線１５はカーブの外側に位置するほど曲率半径が大きくなるように設置される。従って、配線１５は分岐のために曲げられてもフラットな形状を維持することができる。
【００２９】
また、分岐用床被覆材２の配線１５は、方向を変える経路に、直線経路の長さと同じ配線が設置されるよう、クランク部分６０１を設ける。
【００３０】
配線経路の変更は、配線用ガイドプロテクタ１６を直角方向に曲がった溝部１７に嵌め込み、この配線用ガイドプロテクタ１６に配線１５を嵌め込むことによって行う。
【００３１】
図７は、応用例に係る床被覆材１の側面図である。図７に示すように、床被覆材１は基底部１２の端部に設けられる切り欠き部２１に着脱可能に設けられるアジャスターシート２２を備える。
【００３２】
図７においては、既存の薄型カーペット３の高さより床被覆材１の高さが高い場合を図示している。
【００３３】
図８は、アジャスターシート２２を取り外した様子を示す側面図である。図８に示すように、床被覆材１からアジャスターシート２２を取り除けば、既存の薄型カーペット３との段差をなくすことができる。
【００３４】
図９は、アジャスターシート２２を付け加えた様子を示す側面図である。図９に示すように、床被覆材１にアジャスターシート２２を付け加えれば、既存の厚型カーペット４との段差をなくすことができる。
【００３５】
図１０は、コネクタ型床被覆材５の外観斜視図である。図１０に示すように、コネクタ型床被覆材５は、床被覆材１又は分岐用床被覆材２の凸型コネクタ１３又は凹型コネクタ１４に代えて配線ケーブル類５２を接続するコネクタ部５１を有する。
【００３６】
このコネクタ型床被覆材５を配線の端部に使用すれば、通常のケーブル類に接続することが可能となる。
【００３７】
図１１は、床被覆材１の使用例を示す図である。図１１に示すように、床被覆材１、分岐用床被覆材２、及びコネクタ型床被覆材５を適宜組み合わせて使用することにより美観に優れた床を短期間に施工することが可能となる。
【００３８】
以上述べたように、本実施形態の床被覆材１は、可撓性材料により形成される基底部１２と、基底部１２の表面に設けられる化粧部１１と、基底部１２の第１の側面部に設けられる凸型コネクタ１３と、基底部１２の第１の側面とは異なる第２の側面に設けられる凹型コネクタ１４と、基底部１２の底面に平行に配置される化粧部１１に面する面と対向する面に設けられる溝部１７と、溝部１７に配置される配線用ガイドプロテクタ１６と、配線用ガイドプロテクタ１６に設置され、凸型コネクタ１３と凹型コネクタ１４とを接続する配線１５と、基底部の端部に設けられる切り欠き部に着脱可能に設けられるアジャスターシート２２と、を備える。
【００３９】
従って、美観を損ねず、より少ない工数によりオフィス用床を施工できるという効果がある。
【００４０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
１１  化粧部
１２  基底部
１３  凸型コネクタ
１４  凹型コネクタ
１５  配線
２２  アジャスターシート
【図１】
2015059385.tif 000003
【図２】
2015059385.tif 000004
【図３】
2015059385.tif 000005
【図４】
2015059385.tif 000006
【図５】
2015059385.tif 000007
【図６】
2015059385.tif 000008
【図７】
2015059385.tif 000009
【図８】
2015059385.tif 000010
【図９】
2015059385.tif 000011
【図１０】
2015059385.tif 000012
【図１１】
2015059385.tif 000013
【手続補正書】
【提出日】平成26年11月14日(2014.11.14)
【手続補正１】
【補正対象書類名】明細書
【補正対象項目名】００１０
【補正方法】変更
【補正の内容】
【００１０】
上記の課題を解決するために、本発明の一実施形態は、可撓性材料により形成される基底部と、基底部の表面に設けられる化粧部と、基底部の第１の側面に設けられる凸型コネクタと、基底部の第１の側面とは反対側の第２の側面に設けられる凹型コネクタと、基底部の第１の側面及び第２の側面とは異なる第３の側面に設けられる凸型コネクタ又は凹型コネクタと、基底部の化粧部に面する面と対向する面に設けられ、第１の側面に設けられる凸型コネクタと、第２の側面に設けられる凹型コネクタと、第３の側面に設けられる凸型コネクタ又は凹型コネクタにわたって形成される溝部と、溝部に配置される配線用ガイドプロテクタと、配線用ガイドプロテクタに設置され、凸型コネクタと凹型コネクタとを接続する配線と、基底部の端部に設けられる切り欠き部に着脱可能に設けられるアジャスターシートと、溝部に設けられ、第１の側面又は第２の側面と、第３の側面とにわたって敷設される配線の長さを調整するためのクランク部と、を備える床被覆材を提供する。
【手続補正２】
【補正対象書類名】特許請求の範囲
【補正対象項目名】全文
【補正方法】変更
【補正の内容】
【特許請求の範囲】
【請求項１】
可撓性材料により形成される基底部と、
前記基底部の表面に設けられる化粧部と、
前記基底部の第１の側面に設けられる凸型コネクタと、
前記基底部の前記第１の側面とは反対側の第２の側面に設けられる凹型コネクタと、
前記基底部の前記第１の側面及び前記第２の側面とは異なる第３の側面に設けられる凸型コネクタ又は凹型コネクタと、
前記基底部の前記化粧部に面する面と対向する面に設けられ、前記第１の側面に設けられる凸型コネクタと、前記第２の側面に設けられる凹型コネクタと、前記第３の側面に設けられる凸型コネクタ又は凹型コネクタにわたって形成される溝部と、
前記溝部に配置される配線用ガイドプロテクタと、
前記配線用ガイドプロテクタに設置され、前記凸型コネクタと前記凹型コネクタとを接続する配線と、
前記基底部の端部に設けられる切り欠き部に着脱可能に設けられるアジャスターシートと、
前記溝部に設けられ、前記第１の側面又は前記第２の側面と、前記第３の側面とにわたって敷設される前記配線の長さを調整するためのクランク部と、
を備える床被覆材。
【請求項２】
前記配線は、
ＬＡＮケーブルである請求項１に記載の床被覆材。
【請求項３】
可撓性材料により形成される基底部と、
前記基底部の表面に設けられる化粧部と、
前記基底部の第１の側面に設けられる凸型コネクタ又は凹型コネクタと、
前記基底部の前記第１の側面とは異なる第２の側面に設けられ、配線ケーブルと接続するコネクタ部と、
前記基底部の前記化粧部に面する面と対向する面に、前記凸型コネクタ又は凹型コネクタと、前記コネクタ部とにわたって設けられる溝部と、
前記溝部に配置される配線用ガイドプロテクタと、
前記配線用ガイドプロテクタに設置され、前記凸型コネクタ又は前記凹型コネクタと、前記コネクタ部とを接続する配線と、
前記基底部の端部に設けられる切り欠き部に着脱可能に設けられるアジャスターシートと、
前記溝部に設けられ、前記第１の側面と、前記第２の側面とにわたって敷設される前記配線の長さを調整するためのクランク部と、
を備える床被覆材。
【請求項４】
前記第１の側面と前記第２の側面とは隣接している請求項３記載の床被覆材。
【請求項５】
前記配線は、
ＬＡＮである請求項３又は請求項４に記載の床被覆材。